(57)【要約】【課題】小さな媒体の不正持出を監視できる媒体管理システムを提供する。【解決手段】媒体１５にＩＣタグ２１ａと共振タグ２３とを貼付し、ＩＣタグ２１ａのメモリ７１が保持する媒体情報を用いて、媒体１５の貸出管理等を行う。また、外部への貸出では、ジェラルミンケース４５に媒体１５を格納して共振タグ用ゲート２５を通過することで、正当な貸出のときは共振タグ用ゲート２５が共振タグ２３を検知しない。一方、不正な貸出のときは共振タグ用ゲート２５が共振タグ２３を検知し、共振タグ用ゲート２５は警報を出力する。【選択図】図９
2008225829.tif 000002
【特許請求の範囲】
【請求項１】
少なくとも１つの端末とサーバとがネットワークに接続された媒体管理システムであって、
ＩＣタグと共振タグとが貼付された媒体と、
前記媒体の保管場所の出入口に設置され、前記共振タグの存在を検知する共振タグ用ゲートと、
前記媒体を格納すると、前記共振タグ用ゲートが前記共振タグの存在を検知できない媒体格納ケースと、
を具備し、
前記端末は、前記媒体を正当に持出するときに前記ＩＣタグが保持する第１の媒体情報を読み取り、前記第１の媒体情報から前記サーバが保持する第２の媒体情報を更新する手段を具備することを特徴とする媒体管理システム。
【請求項２】
前記端末は、前記媒体を正当に返却するときに前記前記ＩＣタグが保持する第１の媒体情報を読み取り、前記第１の媒体情報から前記サーバが保持する第２の媒体情報を更新する手段を更に具備することを特徴とする請求項１に記載の媒体管理システム。
【請求項３】
前記共振タグ用ゲートは、前記共振タグを検知したときに警報を出力する手段を更に具備することを特徴とする請求項１または請求項２に記載の媒体管理システム。
【請求項４】
前記媒体格納ケースは、前記共振タグ用ゲートと前記共振タグとの少なくともいずれか一方が発する電波を遮断するものであることを特徴とする請求項１から請求項３のいずれかに記載の媒体管理システム。
【発明の詳細な説明】
【技術分野】
【０００１】
本発明は、企業等の業務で発生する磁気テープ等の記録媒体（以下、媒体とする）を管理するシステムに関し、特にＩＣタグと共振タグとを用いた媒体管理システムに関するものである。
【背景技術】
【０００２】
現在、企業等において顧客に関する個人情報を厳重に管理することが求められている。個人情報は媒体に記録されて、媒体はセキュリティが保たれた保管場所に保管することが一般的である。そして、媒体を保管場所から持ち出すときは、誰が媒体を持ち出したかを記録することで媒体の所在を管理する。
こうした媒体管理業務を効率化するとともに、媒体の不正持出を防止する仕組みとして、特許文献１ではＣＤやＤＶＤといった媒体にＩＣタグラベルを貼付して媒体管理を行うことが開示されている。
【特許文献１】特開２００６−３１６７５号公報
【発明の開示】
【発明が解決しようとする課題】
【０００３】
しかし、例えば電子データのバックアップ用として用いられるＤＡＴ（Ｄｉｇｉｔａｌ  Ａｕｄｉｏ  Ｔａｐｅ）、ＣＭＴ（Ｃａｒｔｒｉｄｇｅ  Ｍａｇｎｅｔｉｃ  Ｔａｐｅ）、ＤＬＴ（Ｄｉｇｉｔａｌ  Ｌｉｎｅａｒ  Ｔａｐｅ）、ＤＤＳ（Ｄｉｇｉｔａｌ
Ｄａｔａ  Ｓｔｏｒａｇｅ）等といった媒体は、媒体自体が小さくＩＣタグを貼付するスペースがほとんどないため、ＩＣタグも小さくする必要がある。その結果、ＩＣタグの通信距離が短くなってしまうため、不正持出を発見するためのゲートがＩＣタグを検知できないという問題があった。こうした問題は、媒体自体が小型化されてきている近年では特に顕著になっている。
【０００４】
本発明は、前述した問題点に鑑みてなされたもので、その目的は小さな媒体の不正持出を監視できる媒体管理システムを提供することである。
【課題を解決するための手段】
【０００５】
前述した目的を達成するために本発明は、少なくとも１つの端末とサーバとがネットワークに接続された媒体管理システムであって、ＩＣタグと共振タグとが貼付された媒体と、前記媒体の保管場所の出入口に設置され、前記共振タグの存在を検知する共振タグ用ゲートと、前記媒体を格納すると、前記共振タグ用ゲートが前記共振タグの存在を検知できない媒体格納ケースと、を具備し、前記端末は、前記媒体を正当に持出するときに前記ＩＣタグが保持する第１の媒体情報を読み取り、前記第１の媒体情報を基に前記サーバが保持する第２の媒体情報を更新する手段を具備することを特徴とする媒体管理システムである。
【０００６】
前記端末は、前記媒体を正当に返却するときに前記前記ＩＣタグが保持する第１の媒体情報を読み取り、前記第１の媒体情報を基に前記サーバが保持する第２の媒体情報を更新する手段を更に具備することが望ましい。
【０００７】
前記共振タグ用ゲートは、前記共振タグを検知したときに警報を出力する手段を更に具備することが望ましい。
【０００８】
前記媒体格納ケースは、前記共振タグ用ゲートと前記共振タグとの少なくともいずれか一方が発する電波を遮断するものであることが望ましい。
【発明の効果】
【０００９】
本発明により、小さな媒体の不正持出を監視できる媒体管理システムを提供することができる。
【発明を実施するための最良の形態】
【００１０】
以下図面に基づいて、本発明の実施形態を詳細に説明する。
【００１１】
図１は、本発明に係る媒体管理業務の概略を示す図である。
図１に示すように、本発明に係る媒体管理業務では、媒体保管フロア３内に媒体１５を保管する金庫室５、媒体１５を使用するマシン室７、管理者が執務を行う管理者席９がある。また、媒体保管フロア３には出入口１１が１つだけ存在し、セキュリティが保たれている。
金庫室５には、媒体１５を保管する棚１３が複数設置されている。
マシン室７には、媒体１５を一時的に保管する媒体保管ケース１７と媒体１５を使用するマシン群１９とが設置されている。
【００１２】
まず、管理者席９において媒体１５を保管するための事前準備１０１の処理が行われる。また、管理者席９では、媒体１５がどの棚１３に保管されているかの検索１０２の処理が行われる。
媒体１５は、マシン室７と媒体保管フロア３の外部とで利用する。そして、マシン室７で利用する際はマシン室持出／返却１０２の処理が行われ、媒体保管フロア３の外部で利用する際は外部貸出／返却１０３の処理が行われる。そして、媒体１５が出入口１１を通過する直前で、不正持出監視１０４の処理が行われる。
金庫室５では、定期あるいは不定期に棚卸１０６の処理と廃棄１０７の処理とが行われる。
【００１３】
図２は、本発明の実施の形態に係る媒体管理システム１の概略構成を示す図である。
図２は、媒体管理システム１の１例であり、図２に示すように、ＩＣタグ２１ｂが貼付された棚１３、ＩＣタグ２１ａと共振タグ２３とが貼付された媒体１５、共振タグ用ゲート２５、監視カメラ２７、端末３５ａとＩＣタグリーダライタ３７とを搭載したピッキングカート２９、サーバ３３、ラベルプリンタ４１とプリンタ４３とが接続された端末３５ｂ等で構成されており、必要に応じてネットワーク３１を介して接続される。
ネットワーク３１は、インターネット、ローカルエリアネットワーク（ＬＡＮＮ）等であり、有線、無線は問わない。
【００１４】
棚１３は、金庫室５に設置され、一意に識別する棚番情報を保持するＩＣタグ２１ｂが貼付される。
【００１５】
媒体１５は、保管時には棚１３に収納されており、媒体管理に必要な媒体管理情報を保持するＩＣタグ２１ａと、共振タグ２３とが貼付される。
【００１６】
共振タグ用ゲート２５は、出入口１１に隣接した媒体保管フロア３の内部に設置される。
【００１７】
監視カメラ２７は、共振タグ用ゲート２５を通過する人の撮影に適した位置に設置される。
【００１８】
ピッキングカート２９は、金庫室５に配備されており、自由に移動させることができる。尚、搭載されている端末３５ａは、無線通信機器３９を介してネットワーク３１に接続される。
【００１９】
サーバ３３は、媒体保管フロア３の外部に設置され、ネットワーク３１に接続される。尚、サーバ３３は、ネットワーク３１に接続されていれば良く、媒体保管フロア３の内部に設置されても良い。
【００２０】
端末３５ｂは、管理者席９に設置され、ネットワーク３１に接続される。
【００２１】
次に、図３から図７を参照しながら、各種機器のハードウェア構成を説明する。
【００２２】
図３は、サーバ３３のハードウェア構成図である。尚、端末３５ａ、端末３５ｂも同様の構成である。
サーバ３３は、制御部５１、記憶部５２、メディア入出力部５３、通信制御部５４、入力部５５、表示部５６、周辺機器Ｉ／Ｆ（インタフェース）部５７が、バス５８を介して接続されて構成される。
【００２３】
制御部５１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。
ＣＰＵは、記憶部５２、ＲＯＭ、記憶媒体等に格納されるプログラムをＲＡＭのワークメモリ領域に呼び出して実行し、バス５８を介して接続された各装置を駆動制御する。
ＲＯＭは、不揮発性メモリであり、コンピュータのブートプログラムやＢＩＯＳ等のプログラム、データ等を恒久的に保持している。
ＲＡＭは、揮発性メモリであり、記憶部５２、ＲＯＭ、記録媒体等からロードしたプログラム、データ等を一時的に保持するとともに、制御部５１が各種処理を行う為に使用するワークエリアを備える。
【００２４】
記憶部５２は、ＨＤＤ（ハードディスクドライブ）であり、制御部５１が実行するプログラム、プログラム実行に必要なデータ、ＯＳ（オペレーティングシステム）等が格納される。プログラムに関しては、ＯＳ（オペレーティングシステム）に相当する制御プログラムや、後述の処理に相当するアプリケーションプログラムが格納されている。
これらの各プログラムコードは、制御部５１により必要に応じて読み出されてＲＡＭに移され、ＣＰＵに読み出されて各種の手段として実行される。
【００２５】
メディア入出力部５３（ドライブ装置）は、データの入出力を行い、例えば、フロッピー（登録商標）ディスクドライブ、ＣＤドライブ（−ＲＯＭ、−Ｒ、ＲＷ等）、ＤＶＤドライブ（−ＲＯＭ、−Ｒ、−ＲＷ等）、ＭＯドライブ等のメディア入出力装置を有する。
【００２６】
通信制御部５４は、通信制御装置、通信ポート等を有し、サーバ３３とネットワーク間の通信を媒介する通信インタフェースであり、ネットワーク３１を介して、サーバ３３と、他のコンピュータ間の通信制御を行う。
【００２７】
入力部５５は、データの入力を行い、例えば、キーボード、マウス等のポインティングデバイス、テンキー、タッチパネル等の入力装置を有する。
入力部５５を介して、サーバ３３に対して、操作指示、動作指示、データ入力等を行うことができる。
【００２８】
表示部５６は、ＣＲＴモニタ、液晶パネル等のディスプレイ装置、ディスプレイ装置と連携してコンピュータのビデオ機能を実現するための論理回路等（ビデオアダプタ等）を有する。
【００２９】
周辺機器Ｉ／Ｆ（インタフェース）部５７は、コンピュータに周辺機器を接続させるためのポートであり、周辺機器Ｉ／Ｆ部５７を介してコンピュータは周辺機器とのデータの送受信を行う。周辺機器Ｉ／Ｆ部５７は、ＵＳＢ、ＩＥＥＥ１３９４、ＲＳ−２３２Ｃ等で構成されており、通常複数の周辺機器Ｉ／Ｆを有する。周辺機器との接続形態は有線、無線を問わない。
【００３０】
バス５８は、各装置間の制御信号、データ信号等の授受を媒介する経路である。
【００３１】
図４は、ＩＣタグリーダライタ３７のハードウェア構成図である。
ＩＣタグリーダライタ３７は、制御部６１、電源部６２、入出力部６３、通信部６４、アンテナ６５等から構成される。
【００３２】
制御部６１は、プログラムの実行を行うＣＰＵと、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等のメモリから構成される。制御部６１は、ＩＣタグリーダライタ３７全体を制御する。
【００３３】
電源部６２は、ＩＣタグリーダライタ３７を駆動する電力を供給する。
【００３４】
入出力部６３は、外部機器へのデータの送受信を制御する。入出力部６３は、ＵＳＢまたはＲＳ−２３２Ｃ等で構成されている。
【００３５】
通信部６４は、データの変調、復調を行い、アンテナ６５を介してＩＣタグ２１ａ（２１ｂ）との無線通信を制御する。
【００３６】
図５は、ＩＣタグ２１ａのハードウェア構成図である。尚、ＩＣタグ２１ｂも同様の構成である。
ＩＣタグ２１ａは、メモリ７１、アンテナ７２等から構成される。
【００３７】
メモリ７１は、データを格納するためのＲＡＭ（Ｒａｎｄｏｍ  Ａｃｃｅｓｓ  Ｍｅｍｏｒｙ）から構成される。ＩＣタグ２１ａは、アンテナ７２を介してＩＣタグリーダライタ３７との無線通信を行う。本実施の形態に係るＩＣタグ２１ａは、小さな媒体１５にも貼付できる大きさであり、通信距離は比較的短いもので良い。
【００３８】
図６は、共振タグ用ゲート２５のハードウェア構成図である。
共振タグ用ゲート２５は、制御部８１、警報出力部８２、入出力部８３、送受信部８４、アンテナ８５等から構成される。
【００３９】
制御部８１は、プログラムの実行を行うＣＰＵと、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等のメモリから構成される。制御部８１は、共振タグ用ゲート２５全体を制御する。
【００４０】
警報出力部８２は、制御部８１から共振タグ２３を検知したことを示す信号を受信すると、警報を出力する。
【００４１】
入出力部８３は、外部機器へのデータの送受信を制御する。入出力部８３は、ＵＳＢまたはＲＳ−２３２Ｃ等で構成されている。例えば、共振タグ２３を検知したことを示すデータをサーバ３３に送信し、サーバ３３側で共振タグ２３の検知時刻を記録しても良い。
【００４２】
送受信部８４は、アンテナ８５を介して所定の周波数の電波を送受信する。共振タグ２３が電波の受信領域に存在する場合、送受信部８４が送信する電波に反応して共振タグ２３から電波が送信される。そして、送受信部８４が共振タグ２３からの電波を受信することで、共振タグ２３を検知することができる。
【００４３】
図７は、共振タグ２３のハードウェア構成図である。
共振タグ２３は、コンデンサ９１、コイル９２等から構成される。
【００４４】
共振タグ２３は、コンデンサ９１とコイル９２とからなる共振回路を形成している。そして、所定の周波数の電波を受信すると共振し、共振周波数に相当する電波を送信する。共振タグ２３は、小さな媒体１５にも貼付可能な大きさであり、共振タグ用ゲート２５と一定の距離がある場合にも検知される。また、例えば媒体１５を衣服のポケットに入れて共振タグ用ゲート２５を通過する場合であっても、共振タグ２３が検知され、不正持出を監視することができる。
【００４５】
次に、図８から図１０を参照しながら、図１に示した各種処理における媒体管理システム１の動作の詳細について説明する。
【００４６】
[事前準備１０１]
まず、棚１３の棚情報を登録し、ＩＣタグ２１ｂを発行する。具体的には、端末３５ｂに棚名、棚番等の棚情報が入力されると、端末３５ｂはサーバ３３に棚情報を送信し、サーバ３３は棚情報を保持する。また、端末３５ｂはラベルプリンタ４１に棚情報とともにＩＣタグ発行命令を送信し、ラベルプリンタ４１はＩＣタグ２１ｂのメモリ７１に棚情報を書き込むとともにラベル表面に棚情報を印字する。発行されたＩＣタグ２１ｂは、所定の棚１３に貼付される。
【００４７】
次に、媒体１５の媒体情報を登録し、ＩＣタグ２１ａを発行する。具体的には、端末３５ｂに媒体名、収納する棚１３の棚番等の媒体情報が入力されると、端末３５ｂはサーバ３３に媒体情報を送信し、サーバ３３は媒体情報を保持する。また、端末３５ｂはラベルプリンタ４１に媒体情報とともにＩＣタグ発行命令を送信し、ラベルプリンタ４１はＩＣタグ２１ａのメモリ７１に媒体情報を書き込むとともにラベル表面に媒体情報を印字する。発行されたＩＣタグ２１ａは、共振タグ２３とともに媒体１５に貼付される。そして、媒体１５は入力された棚番に係る棚１３に収納される。
【００４８】
[検索１０２]
媒体１５は、管理者席９において検索できる。具体的には、端末３５ｂに媒体名が入力されると、端末３５ｂはサーバ３３が保持する媒体情報を検索し、収納されている棚番を画面に表示する。
また、持出や貸出の状況を照会し、端末３５ｂに接続されたプリンタ４３が持出リストや貸出リストを出力することもできる。
【００４９】
[マシン室持出／返却１０３]
図８は、マシン室７への媒体１５の持出と返却を示す図である。
図８に示すように、媒体１５をマシン室７に持ち出すときは、対象とする媒体１５をピッキング（１１１）し、持出処理（１１２）を行う。具体的には、ピッキングカート２９に搭載されたＩＣタグリーダライタ３７がＩＣタグ２１ａのメモリ７１に保持されている媒体情報を読み取ると、ＩＣタグリーダライタ３７は端末３５ａに媒体情報を送信する。次に、端末３５ａはサーバ３３に媒体情報を送信し、サーバ３３は対象とする媒体１５の媒体情報を更新し、持出されたことを記録する。
【００５０】
持出処理の完了後、マシン室７への持出（１１３）を行い、サーバ室７において媒体１５を使用する（１１４）。媒体１５の使用後は、金庫室５への返却（１１５）を行い、返却処理（１１６）を行う。具体的には、ピッキングカート２９に搭載されたＩＣタグリーダライタ３７がＩＣタグ２１ａのメモリ７１に保持されている媒体情報を読み取ると、ＩＣタグリーダライタ３７は端末３５ａに媒体情報を送信する。次に、端末３５ａはサーバ３３に媒体情報を送信し、サーバ３３は対象とする媒体１５の媒体情報を更新し、返却されたことを記録する。そして、返却処理の完了後、媒体１５は棚１３に収納される（１１７）。
【００５１】
[外部貸出／返却１０４]
図９は、外部への媒体１５の貸出と返却を示す図である。
図９に示すように、媒体１５を外部に持ち出すときは、貸出票４７を参照して対象とする媒体１５をピッキング（１２１）し、貸出処理（１２２）を行う。具体的には、ピッキングカート２９に搭載されたＩＣタグリーダライタ３７がＩＣタグ２１ａのメモリ７１に保持されている媒体情報を読み取ると、ＩＣタグリーダライタ３７は端末３５ａに媒体情報を送信する。次に、端末３５ａはサーバ３３に媒体情報を送信し、サーバ３３は対象とする媒体１５の媒体情報を更新し、貸出されたことを記録する。
【００５２】
貸出処理の完了後、媒体格納ケースであるジェラルミンケース４５に媒体１５を格納（１２３）し、外部への貸出（１２４）を行う。ここで、ジェラルミンケース４５に格納する媒体１５は、管理者が貸出処理済であることを確認する。そして、ジェラルミンケース４５に格納された媒体１５の共振タグ２３は、共振タグ用ゲート２５によって検知されず、警報が出力されることはない。
尚、ジェラルミンとは、アルミニウムに、銅、マグネシウム、マンガンを配合したアルミニウム合金の一種である。ジェラルミンケースは軽量、高強度という媒体格納ケースとして望ましい特性を有し、共振タグ用ゲート２５と共振タグ２３との少なくともいずれか一方が送信する電波を遮断するものである。
【００５３】
貸出先において媒体１５を使用（１２５）した後、金庫室５に返却（１２６）を行う。返却する際も、ジェラルミンケース４５に媒体１５を格納し、共振タグ用ゲート２５を通過する。次に、ジェラルミンケース４５から媒体１５の取出（１２７）を行い、返却処理（１２８）を行う。具体的には、ピッキングカート２９に搭載されたＩＣタグリーダライタ３７がＩＣタグ２１ａのメモリ７１に保持されている媒体情報を読み取ると、ＩＣタグリーダライタ３７は端末３５ａに媒体情報を送信する。次に、端末３５ａはサーバ３３に媒体情報を送信し、サーバ３３は対象とする媒体１５の媒体情報を更新し、返却されたことを記録する。そして、返却処理の完了後、媒体１５は棚１３に収納される（１２９）。
【００５４】
[不正持出監視１０５]
不正持出監視は、図９に示すように、共振タグ用ゲート２５と監視カメラ２７とで常に行われている。具体的には、共振タグ用ゲート２５は常に電波を送信し、共振タグ２３の検知を行う。また、監視カメラ２７は常に共振タグ用ゲート２５の通過位置を撮影し、共振タグ用ゲート２５を不正に通過する者を監視する。そして、共振タグ用ゲート２５が共振タグ２３を検知すると、共振タグ用ゲート２５は警報を出力する。また、監視カメラ２７と共振タグ用ゲート２５とが連動して動作するようにして、共振タグ２３を検知したときの画像を静止画または動画として記録するようにしても良い。
尚、共振タグ用ゲート２５が人体検知センサを具備する場合、人体を検知したときに共振タグ用ゲート２５が電波を送信し、監視カメラ２７が共振タグ用ゲート２５の通過位置の画像を記録するようにしても良い。人体検知センサは、例えば、赤外線を人が遮ったことを検知するもの、または赤外線を人に当て反射したことを検知するもの等がある。
【００５５】
[棚卸１０６]
図１０は、媒体１５の棚卸を示す図である。
図１０に示すように、棚卸場所の確認（１３１）後、棚１３ごとに棚卸（１３２）を行う。具体的には、ピッキングカート２９に搭載されたＩＣタグリーダライタ３７が棚１３のＩＣタグ２１ｂのメモリ７１に保持されている棚番を読み取ると、ＩＣタグリーダライタ３７は端末３５ａに棚番を送信する。そして、端末３５ａはサーバ３３から対象の棚番に係る棚情報を取得する。尚、サーバ３３が保持する棚情報には現在の収納媒体数が含まれている。次に、ＩＣタグリーダライタ３７が対象とする棚１３に収納されている媒体１５のＩＣタグ２１ａを一括で読み取ると、ＩＣタグリーダライタ３７は端末３５ａに読み込んだ媒体１５の数量を送信する。そして、端末３５ａは、サーバ３３から取得した現在の収納媒体数と、ＩＣタグリーダライタ３７から送信された媒体１５の数量と、を比較し、数量が一致するかどうかを判定する。数量が一致する場合、棚卸完了のメッセージを画面に表示する。数量が一致しない場合、再確認のメッセージを画面に表示する。
尚、棚卸の結果は、端末３５ｂに接続されたプリンタ４３が出力する。例えば、数量が一致しない場合、媒体１５の過不足を示す差異リストを出力する。
【００５６】
[廃棄１０７]
図１１は、媒体１５の廃棄を示す図である。
図１１に示すように、媒体１５を廃棄するときは、対象とする媒体１５をピッキング（１４１）し、廃棄処理（１４２）を行う。具体的には、ピッキングカート２９に搭載されたＩＣタグリーダライタ３７が対象とする媒体１５のＩＣタグ２１ａのメモリ７１に保持されている媒体情報を読み取ると、ＩＣタグリーダライタ３７は端末３５ａに媒体情報を送信する。次に、端末３５ａはサーバ３３に媒体情報を送信し、サーバ３３は対象とする媒体１５の媒体情報を更新し、廃棄されることを記録する。そして、廃棄処理の完了後、媒体１５は廃棄（１４３）される。
【００５７】
以上詳細に説明したように、本発明の実施の形態によれば、媒体１５にＩＣタグ２１ａと共振タグ２３とを貼付し、ＩＣタグ２１ａのメモリ７１が保持する媒体情報を用いて、媒体１５の貸出管理等を行う。また、外部への貸出では、ジェラルミンケース４５に媒体１５を格納して共振タグ用ゲート２５を通過することで、正当な貸出のときは共振タグ用ゲート２５が共振タグ２３を検知しない。一方、不正な貸出のときは共振タグ用ゲート２５が共振タグ２３を検知し、共振タグ用ゲート２５は警報を出力する。
【００５８】
本発明の実施の形態によって、小さな媒体１５であっても、不正持出監視を実現することができる。また、媒体１５の貸出作業等の効率化が可能となるとともに、媒体１５の出先管理の精度が向上する。
【００５９】
以上、添付図面を参照しながら、本発明に係る媒体管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００６０】
【図１】媒体管理業務の概略を示す図
【図２】媒体管理システム１の概略構成を示す図
【図３】サーバ３３のハードウェア構成図
【図４】ＩＣタグリーダライタ３７のハードウェア構成図
【図５】ＩＣタグ２１ａのハードウェア構成図
【図６】共振タグ用ゲート２５のハードウェア構成図
【図７】共振タグ２３のハードウェア構成図
【図８】マシン室７への媒体１５の持出と返却を示す図
【図９】外部への媒体１５の貸出と返却を示す図
【図１０】媒体１５の棚卸を示す図
【図１１】媒体１５の廃棄を示す図
【符号の説明】
【００６１】
１………媒体管理システム
３………媒体保管フロア
５………金庫室
７………マシン室
９………管理者席
１１………出入口
１３………棚
１５………媒体
１７………媒体保管ケース
１９………マシン群
２１ａ（２１ｂ）………ＩＣタグ
２３………共振タグ
２５………共振タグ用ゲート
２７………監視カメラ
２９………ピッキングカート
３１………ネットワーク
３３………サーバ
３５ａ（３５ｂ）………端末
３７………ＩＣタグリーダライタ
３９………無線通信機器
４１………ラベルプリンタ
４３………プリンタ
【図１】
2008225829.tif 000003
【図２】
2008225829.tif 000004
【図３】
2008225829.tif 000005
【図４】
2008225829.tif 000006
【図５】
2008225829.tif 000007
【図６】
2008225829.tif 000008
【図７】
2008225829.tif 000009
【図８】
2008225829.tif 000010
【図９】
2008225829.tif 000011
【図１０】
2008225829.tif 000012
【図１１】
2008225829.tif 000013